【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク上で通信するためのデバイスであって、前記デバイスは下記を備える、
複数のチャネル上で送信を受信するように構成された受信機と、
プロセッサであって、
前記複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上であり、ここにおいて、前記第２のクリアチャネルアセスメントしきい値のセットが、前記第１のクリアチャネルアセスメントしきい値のセットと、前記複数のチャネルのうちの１つのチャネルの帯域幅に少なくとも部分的に基づく保護ファクタとの合計から導き出される、と、
を行うように構成されたプロセッサ。
【請求項２】
前記第１のクリアチャネルアセスメントしきい値のセットは、複数のしきい値を備える、請求項１に記載のデバイス。
【請求項３】
前記第１のクリアチャネルアセスメントしきい値のセットは、ミッドパケット検出、パケットの開始検出、およびエネルギー検出のうちの２つ以上のためのしきい値を備える、請求項２に記載のデバイス。
【請求項４】
前記第２のクリアチャネルアセスメントしきい値のセットは、複数のしきい値を備える、請求項１に記載のデバイス。
【請求項５】
前記第２のクリアチャネルアセスメントしきい値のセットは、ミッドパケット検出、パケットの開始検出、およびエネルギー検出のうちの２つ以上のためのしきい値を備える、請求項４に記載のデバイス。
【請求項６】
前記保護ファクタは、非ゼロ値である、請求項１に記載のデバイス。
【請求項７】
前記保護ファクタは、ゼロの値を有する、請求項１に記載のデバイス。
【請求項８】
前記チャネルが利用可能である場合、前記チャネル上で送信するように構成された送信機をさらに備える、請求項１に記載のデバイス。
【請求項９】
前記ワイヤレス通信ネットワークは、サブギガヘルツネットワークを備える、請求項１に記載のデバイス。
【請求項１０】
前記チャネルは、１ＭＨｚ、２ＭＨｚ、４ＭＨｚ、８ＭＨｚ、または１６ＭＨｚチャネルのうちの少なくとも１つである、請求項１に記載のデバイス。
【請求項１１】
前記チャネルの第１の部分は、第１のタイプのチャネルであり、前記チャネルの第２の部分は、第２のタイプのチャネルである、請求項１に記載のデバイス。
【請求項１２】
ワイヤレス通信ネットワーク上で通信するための方法であって、前記方法は下記を備える、
複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上であり、ここにおいて、前記第２のクリアチャネルアセスメントしきい値のセットが、前記第１のクリアチャネルアセスメントしきい値のセットと、前記複数のチャネルのうちの１つのチャネルの帯域幅に少なくとも部分的に基づく保護ファクタとの合計から導き出される。
【請求項１３】
前記第１のクリアチャネルアセスメントしきい値のセットは、複数のしきい値を備える、請求項１２に記載の方法。
【請求項１４】
前記第２のクリアチャネルアセスメントしきい値のセットは、複数のしきい値を備える、請求項１２に記載の方法。
【請求項１５】
前記第１のクリアチャネルアセスメントしきい値のセットは、ミッドパケット検出、パケットの開始検出、およびエネルギー検出のうちの２つ以上のためのしきい値を備える、請求項１３に記載の方法。
【請求項１６】
前記第２のクリアチャネルアセスメントしきい値のセットは、ミッドパケット検出、パケットの開始検出、およびエネルギー検出のうちの２つ以上のためのしきい値を備える、請求項１３に記載の方法。
【請求項１７】
前記保護ファクタは、非ゼロ値である、請求項１２に記載の方法。
【請求項１８】
前記保護ファクタは、ゼロの値を有する、請求項１２に記載の方法。
【請求項１９】
前記チャネルが利用可能である場合、前記チャネル上で送信することをさらに備える、請求項１２に記載の方法。
【請求項２０】
前記ワイヤレス通信ネットワークは、サブギガヘルツネットワークを備える、請求項１２に記載の方法。
【請求項２１】
前記チャネルは、１ＭＨｚ、２ＭＨｚ、４ＭＨｚ、８ＭＨｚ、または１６ＭＨｚチャネルのうちの少なくとも１つである、請求項１２に記載の方法。
【請求項２２】
前記チャネルの第１の部分は、第１のタイプのチャネルであり、前記チャネルの第２の部分は、第２のタイプのチャネルである、請求項１２に記載の方法。
【請求項２３】
前記複数のチャネルのうちの前記１つのチャネルが、少なくとも前記第１または前記第２のタイプのチャネルのうちの１つであるかどうかを決定するのに十分な情報を受信することをさらに備える、請求項１３に記載の方法。
【請求項２４】
ワイヤレス通信ネットワーク上で通信するためのデバイスであって、前記デバイスは下記を備える、
複数のチャネルのうちの１つのチャネルを受信するための手段が、少なくとも第１のタイプまたは第２のタイプのチャネルのうちの１つであるかどうかを決定するための手段と、
前記チャネルが前記第１のタイプのチャネルである場合、第１のクリアチャネルアセスメントしきい値のセットに少なくとも部分的に基づいて、前記チャネルが利用可能であるかどうかを決定するための手段と、
前記チャネルが前記第２のタイプのチャネルである場合、第２のクリアチャネルアセスメントしきい値のセットに少なくとも部分的に基づいて、前記チャネルが利用可能であるかどうかを決定するための手段、ここで、前記第２のクリアチャネルアセスメントしきい値のセットが前記第１のクリアチャネルアセスメントしきい値のセット以上であり、ここにおいて、前記第２のクリアチャネルアセスメントしきい値のセットが、前記第１のクリアチャネルアセスメントしきい値のセットと、前記複数のチャネルのうちの１つのチャネルの帯域幅に少なくとも部分的に基づく保護ファクタとの合計から導き出される。
【請求項２５】
実行されるとき、デバイス中のプロセッサにワイヤレス通信ネットワーク上で通信するための方法を実行させる命令を備える非一時的なコンピュータ可読媒体であって、前記方法は下記を備える、
複数のチャネルのうちの１つのチャネルを受信するための手段が、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上であり、ここにおいて、前記第２のクリアチャネルアセスメントしきい値のセットが、前記第１のクリアチャネルアセスメントしきい値のセットと、前記複数のチャネルのうちの１つのチャネルの帯域幅に少なくとも部分的に基づく保護ファクタとの合計から導き出される。
【手続補正２】
【補正対象書類名】明細書
【補正対象項目名】００６５
【補正方法】変更
【補正の内容】
【００６５】
[0070]前述の内容は本開示の態様を対象としているけれども、本開示の他のおよびさらなる態様が、その基礎的な範囲から逸脱することなく導き出されることができ、その範囲は、下記の請求項によって決定される。
以下に本願発明の当初の特許請求の範囲に記載された発明を付記する。
［Ｃ１］
ワイヤレス通信ネットワーク上で通信するためのデバイスであって、前記デバイスは下記を備える、
複数のチャネル上で送信を受信するように構成された受信機と、
プロセッサであって、
前記複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上である、と、
を行うように構成されたプロセッサ。
［Ｃ２］
前記第１のクリアチャネルアセスメントしきい値のセットは、複数のしきい値を備える、Ｃ１に記載のデバイス。
［Ｃ３］
前記第１のクリアチャネルアセスメントしきい値のセットは、ミッドパケット検出、パケットの開始検出、およびエネルギー検出のうちの２つ以上のためのしきい値を備える、Ｃ２に記載のデバイス。
［Ｃ４］
前記第２のクリアチャネルアセスメントしきい値のセットは、複数のしきい値を備える、Ｃ１に記載のデバイス。
［Ｃ５］
前記第２のクリアチャネルアセスメントしきい値のセットは、ミッドパケット検出、パケットの開始検出、およびエネルギー検出のうちの２つ以上のためのしきい値を備える、Ｃ４に記載のデバイス。
［Ｃ６］
前記第２のクリアチャネルアセスメントしきい値のセットは、前記第１のクリアチャネルアセスメントしきい値のセットから導き出される、Ｃ１に記載のデバイス。
［Ｃ７］
前記導き出された第２のクリアチャネルアセスメントしきい値のセットは、前記第１のクリアチャネルアセスメントしきい値のセットと保護ファクタの合計を備える、Ｃ６に記載のデバイス。
［Ｃ８］
前記保護ファクタは、非ゼロ値である、Ｃ７に記載のデバイス。
［Ｃ９］
前記保護ファクタは、ゼロの値を有する、Ｃ７に記載のデバイス。
［Ｃ１０］
前記保護ファクタは、チャネルの帯域幅に少なくとも部分的に基づく、Ｃ７に記載のデバイス。
［Ｃ１１］
前記チャネルが利用可能である場合、前記チャネル上で送信するように構成された送信機をさらに備える、Ｃ１に記載のデバイス。
［Ｃ１２］
前記ワイヤレス通信ネットワークは、サブギガヘルツネットワークを備える、Ｃ１に記載のデバイス。
［Ｃ１３］
前記チャネルは、１ＭＨｚ、２ＭＨｚ、４ＭＨｚ、８ＭＨｚ、または１６ＭＨｚチャネルのうちの少なくとも１つである、Ｃ１に記載のデバイス。
［Ｃ１４］
前記チャネルの第１の部分は、第１のタイプのチャネルであり、前記チャネルの第２の部分は、第２のタイプのチャネルである、Ｃ１に記載のデバイス。
［Ｃ１５］
ワイヤレス通信ネットワーク上で通信するための方法であって、前記方法は下記を備える、
複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上である。
［Ｃ１６］
前記第１のクリアチャネルアセスメントしきい値のセットは、複数のしきい値を備える、Ｃ１５に記載の方法。
［Ｃ１７］
前記第２のクリアチャネルアセスメントしきい値のセットは、複数のしきい値を備える、Ｃ１５に記載の方法。
［Ｃ１８］
前記第１のクリアチャネルアセスメントしきい値のセットは、ミッドパケット検出、パケットの開始検出、およびエネルギー検出のうちの２つ以上のためのしきい値を備える、Ｃ１６に記載の方法。
［Ｃ１９］
前記第２のクリアチャネルアセスメントしきい値のセットは、ミッドパケット検出、パケットの開始検出、およびエネルギー検出のうちの２つ以上のためのしきい値を備える、Ｃ１６に記載の方法。
［Ｃ２０］
前記第２のクリアチャネルアセスメントしきい値のセットは、前記第１のクリアチャネルアセスメントしきい値のセットから導き出される、Ｃ１５に記載の方法。
［Ｃ２１］
前記導き出された第２のクリアチャネルアセスメントしきい値のセットは、前記第１のクリアチャネルアセスメントしきい値のセットと保護ファクタの合計を備える、Ｃ２１に記載の方法。
［Ｃ２２］
前記保護ファクタは、非ゼロ値である、Ｃ２１に記載の方法。
［Ｃ２３］
前記保護ファクタは、ゼロの値を有する、Ｃ２１に記載の方法。
［Ｃ２４］
前記保護ファクタは、チャネルの帯域幅に少なくとも部分的に基づく、Ｃ２１に記載の方法。
［Ｃ２５］
前記チャネルが利用可能である場合、前記チャネル上で送信することをさらに備える、Ｃ１５に記載の方法。
［Ｃ２６］
前記ワイヤレス通信ネットワークは、サブギガヘルツネットワークを備える、Ｃ１５に記載の方法。
［Ｃ２７］
前記チャネルは、１ＭＨｚ、２ＭＨｚ、４ＭＨｚ、８ＭＨｚ、または１６ＭＨｚチャネルのうちの少なくとも１つである、Ｃ１５に記載の方法。
［Ｃ２８］
前記チャネルの第１の部分は、第１のタイプのチャネルであり、前記チャネルの第２の部分は、第２のタイプのチャネルである、Ｃ１５に記載の方法。
［Ｃ２９］
前記複数のチャネルのうちの前記１つのチャネルが、少なくとも前記第１または第２のタイプのチャネルのうちの１つであるかどうかを決定するのに十分な情報を受信することをさらに備える、Ｃ１６に記載の方法。
［Ｃ３０］
ワイヤレス通信ネットワーク上で通信するためのデバイスであって、前記デバイスは下記を備える、
複数のチャネルのうちの１つのチャネルが、少なくとも第１のタイプまたは第２のタイプのチャネルのうちの１つであるかどうかを決定するための手段と、
前記チャネルが前記第１のタイプのチャネルである場合、第１のクリアチャネルアセスメントしきい値のセットに少なくとも部分的に基づいて、前記チャネルが利用可能であるかどうかを決定するための手段と、
前記チャネルが前記第２のタイプのチャネルである場合、第２のクリアチャネルアセスメントしきい値のセットに少なくとも部分的に基づいて、前記チャネルが利用可能であるかどうかを決定するための手段、ここで、前記第２のクリアチャネルアセスメントしきい値のセットが前記第１のクリアチャネルアセスメントしきい値のセット以上である。
［Ｃ３１］
実行されるとき、デバイス中のプロセッサにワイヤレス通信ネットワーク上で通信するための方法を実行させる命令を備える非一時的なコンピュータ可読媒体であって、前記方法は下記を備える、
複数のチャネルのうちの１つのチャネルが、少なくとも第１のタイプまたは第２のタイプのチャネルのうちの１つであるかどうかを決定することと、
前記チャネルが前記第１のタイプのチャネルである場合、第１のクリアチャネルアセスメントしきい値のセットに少なくとも部分的に基づいて、前記チャネルが利用可能であるかどうかを決定することと、
前記チャネルが前記第２のタイプのチャネルである場合、第２のクリアチャネルアセスメントしきい値のセットに少なくとも部分的に基づいて、前記チャネルが利用可能であるかどうかを決定すること、ここで、前記第２のクリアチャネルアセスメントしきい値のセットが前記第１のクリアチャネルアセスメントしきい値のセット以上である。